(57)【要約】【課題】書画を作成中に飛び散って、ウールを含む繊維製品に付着しても、洗濯により、染みを消去または薄くすることを可能にする、墨汁様組成物を提供する。【解決手段】少なくとも１種の酸性染料と、組成物全体の５重量％以下の量の水溶性有機溶剤と、シクロデキストリン化合物およびその誘導体から選ばれる少なくとも１種のシクロデキストリン系化合物とを、混合することにより、退色性に優れた墨汁様組成物を得る。【選択図】なし【特許請求の範囲】
【請求項１】
少なくとも１種の酸性染料、
組成物全体の５重量％以下の量の水溶性有機溶剤、ならびに
シクロデキストリンおよびその誘導体から成る群から選ばれる少なくとも１種のシクロデキストリン系化合物
を含む、墨汁様組成物。
【請求項２】
シクロデキストリン系化合物として、α−シクロデキストリンおよび／またはγ−シクロデキストリンを含む、請求項１に記載の墨汁様組成物。
【請求項３】
シクロデキストリン系化合物を、組成物全体の３重量％〜２５重量％の量で含む、請求項１または２に記載の墨汁様組成物。
【請求項４】
水溶性有機溶剤を含まない、請求項１〜３のいずれか１項に記載の墨汁様組成物。
【発明の詳細な説明】
【技術分野】
【０００１】
本発明は、墨汁様組成物に関し、より具体的には、ウールを含む繊維製品（織布、編布および不織布、ならびにこれらを使用して製造した衣服等）に付着した場合に、通常の洗濯によって、消去または薄くすることが可能な墨汁様組成物を提供する。
【背景技術】
【０００２】
墨汁は、毛筆で書画を書くのに用いる文房具として、広く使用されている。墨汁は、狭義には墨をすった汁であり、黒色の顔料（例えばカーボンブラック）および膠を含む。しかし、最近、黒の色を、顔料ではなく、染料で発色させている液体が、墨汁の代わりに使用されつつある。そのような液体は、狭義には墨汁ではないという見解もあり、例えば、「書道液」「墨液」等と称されることもある。そのため、本明細書では、顔料および膠を含まないが、書道または水墨画作成のために用いられる、着色された液体を「墨汁様組成物」と称する。
【０００３】
墨汁様組成物として、出願人は、消去性を有する組成物を既に提案している（例えば、特許文献１および２）。これは、書道作品を作成する際に、誤って墨汁様組成物が衣服等に付着したときに、家庭での洗濯によって、付着した組成物を消去する、又はその色を薄くすることを可能にする。
【特許文献１】特開２００６−５７０８４号公報
【特許文献２】特開２００６−２１９６８０号公報
【発明の開示】
【発明が解決しようとする課題】
【０００４】
洗濯により消去可能な墨汁様組成物は、なお改良の余地を有する。例えば、特許文献１に記載の組成物は、消去性を高くするために、水溶性樹脂を使用している。しかし、水溶性樹脂の使用は、消去性の向上には効果的であるものの、この組成物を使用して半紙に書いた書道作品または半紙に描いた水墨画を高湿度の環境に置いておくと、滲みが生じることがある。
【０００５】
また、特許文献２に記載の組成物は顔料を使用しているため、高湿度下に置いても滲みを生じにくい。しかし、顔料は、染料とは異なり、着色剤として液中に分散した状態で存在するので、顔料を使用する場合には、分散安定性を考慮する必要が生じることがある（例えば、使用前に、組成物が入った容器を軽く振ることを求める表示を容器に付す）。これに対し、染料は、溶解した状態で存在するので、染料を使用する場合には、分散安定性を考慮する必要はそれほど生じない。
【０００６】
また、消去性は、繊維の種類により異なることがある。例えば、ある種の染料は、ポリエステルおよび綿（木綿）に付着すると消去されやすいが、ウール（羊毛）のような動物由来の繊維に付着すると消去されにくい。
【０００７】
本発明は、着色剤として染料を使用する墨汁様組成物であって、水溶性樹脂を使用しなくても、優れた消去性を示し、特にウールを含む繊維製品に付着した場合に、消去できる又は色を薄くすることができる墨汁様組成物を提供することを目的とする。
【課題を解決するための手段】
【０００８】
本発明は、少なくとも１種の酸性染料、
組成物全体の５重量％以下の量の水溶性有機溶剤、ならびに
シクロデキストリンおよびその誘導体から成る群から選ばれる少なくとも１種のシクロデキストリン系化合物
を含む、墨汁様組成物を提供する。本発明は、酸性染料と、シクロデキストリン系化合物とを、組み合わせて使用することを特徴とする。この特徴により、誤ってウールを含む製品（特に、衣服）に墨汁様組成物が付着して、染みができたときでも、家庭での洗濯により、染みを落とす、または染みの色を薄くすることができる（以下、説明が煩雑になることを考慮して、繊維製品に付着した墨汁様組成物を洗濯して、完全に消去されることと、墨汁様組成物の色が洗濯前よりも薄くなることとを包含するように、「退色」という用語を使用する）。
【０００９】
本発明の墨汁様組成物は、シクロデキストリン系化合物として、α−シクロデキストリンを含むことが好ましい。α−シクロデキストリンを含む墨汁様組成物は、ウールを含む繊維製品に付着した場合に、洗濯によって、より優れた退色性を示すことによる。
【発明の効果】
【００１０】
本発明の墨汁様組成物は、ウールを含む又はウールのみから成る繊維製品に付着した場合でも、洗濯によって、退色可能であることを特徴とする。よって、本発明の墨汁様組成物は、幼児または小児が、ウールを含む衣服（例えば、制服、セーター等）を着て、書道を練習している間に、誤って衣服に付着した場合でも、衣服を駄目にしない。
【発明を実施するための最良の形態】
【００１１】
本発明の墨汁様組成物（以下、単に組成物ということがある）は、水の他に、少なくとも１種の酸性染料と、少なくとも１種のシクロデキストリン系化合物を含み、さらに必要に応じて、少量の水溶性有機溶剤を含む。以下、本発明の墨汁様組成物に含まれる成分を説明する。
【００１２】
（酸性染料）
酸性染料は特に限定されないが、好ましくは、木綿およびポリエステル繊維に対して直染性を示さない又は直染性の弱いものである。なお、直染性が強い又は高い染料とは、親和力が大きい染料を指す。直染性が強い染料は、繊維に吸着されやすく、染色の際に媒染等の特別な処理を施さなくても、直接染料溶液に繊維を浸すだけで、繊維に吸着される。そのような染料が付着してできる染みは、洗濯をしても、退色させにくい。
また、本発明においては、最終的に得られる組成物を黒色にする必要がある。そのために、黒の酸性染料を使用してよい。あるいは、青色、赤色および黄色の三色を混色して、黒色を得るようにしてよい。あるいは、黒色は、紫色と黄色の混色、または赤みの青と黄みの青と黄色との混色により得ることができる。黒色以外の酸性染料を混合して得た墨汁様組成物は、黒色の酸性染料を含む墨汁様組成物よりも直染性が弱いので、木綿またはポリエステルを含む繊維製品に付着したときに、より良好な退色性を示す。
【００１３】
本発明の墨汁様組成物の色は、好ましくは黒であるが、赤色または朱色であってよい。そのような色の組成物は、書道教室等で、生徒の書を評価するときに用いられる朱墨として使用可能である。また、本発明の墨汁様組成物の色は、紫味または藍味を有する黒色であってよい。
【００１４】
具体的には、C. I. Acid Red 18、C. I. Acid Blue 9、C. I. Acid Blue 90、C. I. Acid Yellow 17、C. I. Acid Yellow 23、およびC. I. Acid Yellow 40が酸性染料として好ましく用いられる。より好ましくは、C. I. Acid Red 18、C. I. Acid Blue 9、C. I. Acid Blue 90、C. I. Acid Yellow 17、およびC. I. Acid Yellow 23が用いられる。
【００１５】
酸性染料は、組成物全体の０．１重量％〜２０．０重量％に相当する量で、組成物中に存在することが好ましく、組成物全体の０．５重量％〜１０．０重量％の量で、組成物中に存在することがより好ましい。酸性染料の量が０．１重量％未満であると、発色が弱くなることがあり、２０．０重量％を超えると、組成物の付着した繊維製品を洗濯しても、十分に退色しないことがある。
【００１６】
（シクロデキストリン系化合物）
本発明の墨汁様組成物に含まれるシクロデキストリン系化合物は、数分子のD-グルコースが、α(1→4)グルコシド結合によって結合して環状構造をとった、環状オリゴ糖の一種である。シクロデキストリン系化合物は、具体的には、α−シクロデキストリン（炭素数６）、β−シクロデキストリン化合物（炭素数７）、およびγ−シクロデキストリン（炭素数８）ならびにこれらの化合物の炭素に置換基が結合した化合物、および１つ又は複数の水酸基が活性基化した化合物である。
【００１７】
シクロデキストリンの誘導体として、例えば、シクロデキストリンの水酸基を修飾した、メチル化シクロデキストリン、ヒドロキシルプロピル化シクロデキストリン、モノアセチル化シクロデキストリン、トリアセチル化シクロデキストリン、およびモノクロロトリアジニル化シクロデキストリンを挙げることができる。あるいは、シクロデキストリンの誘導体は、水酸基にグルコースまたはマルトースが縮合結合した、分岐型（または糖鎖分岐）シクロデキストリンであってよい。分岐型シクロデキストリンは、具体的には、例えば、グルコシルシクロデキストリンおよびマルトシルシクロデキストリンのような分岐型シクロデキストリンであってよい。シクロデキストリンおよび誘導体は、２以上の異なるものを合わせて使用してよい。
【００１８】
本発明において、シクロデキストリン系化合物は、α−シクロデキストリン、γ−シクロデキストリンまたはそれらの混合物であることが好ましい。これらの化合物は水に溶解しやすいので、β−シクロデキストリンと比較して、少ない量で使用しても、所期の効果（優れた退色性）を有する墨汁様組成物が得られる。
【００１９】
シクロデキストリン系化合物は、組成物全体の３．０重量％以上に相当する量で、組成物中に存在することが好ましく、組成物全体の１０．０重量％以上に相当する量で、組成物中に存在することがより好ましい。シクロデキストリン系化合物の量が３重量％未満であると、繊維製品に付着した組成物を洗濯によって退色させることができない場合がある。シクロデキストリン系化合物の含有量の上限は特に設定されないが、経済性を考慮すると、好ましくは２５．０重量％以下であり、より好ましくは２０．０重量％以下である。よって、シクロデキストリン系化合物の好ましい含有量は、組成物全体の３．０重量％〜２５．０重量％であり、より好ましい含有量は、組成物全体の１０．０重量％〜２０．０重量％である。
【００２０】
（水溶性有機溶剤）
本発明の墨汁様組成物は、必要に応じて、水溶性有機溶剤を含む。水溶性有機溶剤は、組成物を入れる容器の口部で組成物が乾燥することを防止する目的で使用される。したがって、そのような目的を考慮しなくてよい場合、水溶性有機溶剤は添加されない。水溶性有機溶剤は、具体的には、例えば、エチレングリコール、ジエチレングリコール、トリエチレングリコール、プロピレングリコール、およびポリエチレングリコール等のグリコール類、エチレングリコールモノメチルエーテル、ジエチレングリコールモノメチルエーテル、ジプロピレングリコールモノメチルエーテル、ジプロピレングリコールモノプロピルエーテル等のグリコールエーテル類である。これらの有機溶剤は１種または２種以上を混合して使用してよい。
【００２１】
水溶性有機溶剤は、組成物の全体の５重量％未満となるように、含まれることが好ましく、例えば、２重量％〜３重量％の量で含まれる。水溶性有機溶剤が５重量％以上含まれると、書（または画）の輪郭がにじみやすくなる。可能な場合には、本発明の組成物は、水溶性有機溶剤を含まないことが好ましい。
【００２２】
(水）
本発明の墨汁様組成物は水を含む。水は、酸性染料、シクロデキストリン系化合物、必要に応じて添加される水溶性有機溶剤、および他の成分を、分散および／または溶解させるための分散媒および／または溶剤として機能する。水として、通常用いられる水、例えば、イオン交換水および蒸留水等を使用することができる。水の含有量は特に限定されず、酸性染料、シクロデキストリン系化合物および他の成分の含有量、ならびに得ようとする粘度に応じて、適宜選択される。例えば、水の含有量は、１重量％〜９０重量％の範囲内であってよく、好ましくは２０重量％〜８０重量％程度である。
【００２３】
本発明の墨汁様組成物は、酸性染料、シクロデキストリン系化合物、必要に応じて添加される水溶性有機溶剤および水の他に、通常用いられる成分を含んでよい。以下、通常、用いられる成分について説明する。
【００２４】
（水溶性樹脂）
本発明の墨汁様組成物は、粘度調整のために、水溶性樹脂を含んでよい。水溶性樹脂として、例えば、ポリビニルアルコール（ＰＶＡ）、カルボキシメチルセルロース（ＣＭＣ）、ヒドロキシエチルセルロース（ＨＥＣ）、ポリエチレンオキシド（ＰＥＯ）、ポリビニルピロリドン（ＰＶＰ）、ポリアクリル酸、キサンタンガムおよびラムザンガムを挙げることができる。好ましい水溶性樹脂は、ＰＶＡ、ＰＶＰ、ＣＭＣおよびキサンタンガムである。
【００２５】
水溶性樹脂は、本発明の組成物の全体の０．０１重量％〜１０．０重量％に相当する量で含まれることが好ましく、３．０重量％〜８．０重量％に相当する量で含まれることがより好ましい。水溶性樹脂の含有量が０．０１重量％未満であると、粘度が低く、墨汁様組成物として使用するのが困難となることがあり、１０．０重量％を超えると、粘度が大きくなりすぎて、墨汁様組成物として使用するのが困難となることがある。なお、墨汁様組成物の粘度は、ＥＬＤ型粘度計を用い、１°３４’コーンロータ  回転数５０ｒｐｍ（２０℃）の条件下で測定した値が、約２〜約２０ｍＰａ・ｓであることが好ましい。
【００２６】
（その他の成分）
本発明の墨汁様組成物は、防錆剤として、ベンゾトリアゾール、トリルトリアゾール、またはジシクロヘキシルアンモニウムナイトレート等を含んでよく、防腐・防錆剤として、ベンゾイソチアゾリン系化合物、ペンタクロロフェノール系化合物、またはクレゾール等を含んでよく、防カビ剤として、パラオキシ安息香酸メチル、またはアモルデンＨＳ（商品名、大和化学工業（株）製）を含んでよい。その他、各種の分散剤（例えば、水溶性アクリル樹脂、水溶性マレイン酸樹脂、水溶性スチレン−アクリル共重合体、水溶性スチレン−マレイン酸共重合体）、消泡剤、レベリング剤、凝集防止剤、ｐＨ調整剤、および界面活性剤が含まれてよい。
【００２７】
また、本発明の墨汁様組成物は、洗濯による退色性を向上させる成分として、無機塩類を含んでよく、具体的には、芒硝剤（無水硫酸ナトリウム）、食塩または硫酸マグネシウムを含んでよい。無機塩類の量は、組成物全体の１．０重量％〜２０．０重量％としてよい。
【００２８】
本発明の墨汁様組成物は、ｐＨ調整剤として、脂肪族アミンを含んでよい。脂肪族アミンは、例えば、トリエタノールアミン、プロパノールアミン、ジプロピルアミンおよびトリエチレンテトラミンである。脂肪族アミンの量は、組成物全体の０．０１重量％〜３．０重量％としてよい。
【００２９】
次に本発明の墨汁様組成物の製造方法を説明する。本発明の墨汁様組成物は、上記成分を撹拌して、水以外の成分を溶解および／または分散させることにより、製造される。例えば、酸性染料およびシクロデキストリン系化合物に加えて、水溶性樹脂、水溶性有機溶剤、脂肪族アミン、無機塩類、防腐剤および防カビ剤を含む組成物を調製する場合、次の順序で、水に各成分を投入して、溶解または分散させることが好ましい。
１番：水溶性樹脂
２番：水溶性有機溶剤
３番：脂肪族アミン
４番：無機塩類
５番：シクロデキストリン系化合物
６番：酸性染料
７番：防腐剤および防カビ剤
【００３０】
この順序は、好ましい一例であり、他の順序を採用してよいことはいうまでもない。但し、水溶性樹脂を含む場合には、樹脂が完全に溶解したことを確認する作業の容易性を考慮すると、早い段階で樹脂を投入することが好ましく、少なくとも酸性染料よりも前に投入することが好ましい。他に水に溶解しにくい成分を用い、当該成分が完全に溶解したことを確認する必要がある場合には、酸性染料の前に投入することが好ましい。また、溶解／分散の際に熱を要する成分を投入するときは、加熱して当該成分が溶解するのに適した温度にして、撹拌等の作業を行ってよい。加熱した混合物に、さらに成分を投入する場合において、当該成分が熱により失活または変性するものであるときには、加熱した混合物を所定の温度（例えば、常温）に冷却してから、当該成分を投入する。
【００３１】
水溶性樹脂および水溶性有機溶剤は同時に投入してもよい。水溶性樹脂および水溶性有機溶剤の溶解は、混合物を６０℃程度に加熱して、撹拌しながら行う。加熱および撹拌は、水溶性樹脂が完全に溶解するまで実施する。脂肪族アミンおよびそれよりも後に加えられる成分の混合は、加熱した混合物を自然冷却させながら実施してよく、あるいは熱により変性又は失活する成分（例えば、ある種の防腐剤および防カビ剤）を混合するときには、室温（例えば約２５℃）まで混合物を冷ましてから、当該成分を投入し、混合する。いずれの成分についても、混合は、混合物を撹拌しながら実施する。各成分は、先に投入した成分が溶解および／または十分に分散したことを確認してから、投入する。
【００３２】
墨汁様組成物が、上記の成分のうちいずれかを含まない場合には、その成分の次の成分が投入される。例えば、水溶性有機溶剤を含まない組成物を調製する場合、水溶性樹脂の次に投入される成分は、脂肪族アミンである。
【００３３】
本発明の墨汁様組成物は、墨汁の代わりに、書画の作成に用いることができる。本発明の墨汁様組成物は、ウールを含む繊維製品（特にセーター、ジャケット、スカートおよびスボン、ならびに寝具および敷物等）に付着したときに、従来の墨汁および墨汁様組成物では得られない、優れた退色性を示し、通常の洗濯で容易に落ちる。なお、本発明の墨汁様組成物は、ウール以外の繊維、例えば、綿、ナイロン、アセテート、レーヨン、アクリル、絹、およびポリエステルから選択される１または複数の繊維を含む繊維製品に付着した場合でも、従来の墨汁様組成物と同等またはそれ以上の退色性を示すことがある。よって、本発明の墨汁様組成物は、書道教室において文房具として、および学校で書道を学ぶ学生（特に年齢が低く、誤って組成物を衣服に付着させやすい小学生）用の文房具として使用するのに特に適している。
【実施例】
【００３４】
（試験１：実施例１〜６、比較例１〜２）
酸性染料として下記のものを用意した。
染料１：食用青色1号（C.I.Acid Blue 9）（ダイワ化成（株）製）
染料２：食用赤色102号（C.I.Acid Red 18）（ダイワ化成（株）製）
染料３：食用黄色5号（C.I.Food Yellow 3（ダイワ化成（株）製）
染料４：Water Blue 116（C.I.Acid Blue 90）（オリヱント化学工業（株）製）
染料５：Water Blue 9（C.I.Acid Blue 9）（オリヱント化学工業（株）製）
染料６：Water Yellow 1（C.I.Acid Yellow 17）（オリヱント化学工業（株）製）
【００３５】
シクロデキストリン系化合物として下記のものを用意した。
シクロデキストリン系化合物１：α-シクロデキストリン（Wacker Chemie社製、商品名CAVAMAX W6 Food）
シクロデキストリン系化合物２：γ-シクロデキストリン（Wacker Chemie社製、商品名CAVAMAX W8 Food）
シクロデキストリン系化合物３：β-シクロデキストリン（塩水港精糖（株）製、商品名デキシーパール β-100）
シクロデキストリン系化合物４：シクロデキストリン混合物（80%α）（塩水港精糖（株）製、商品名デキシーパール K-100）
シクロデキストリン系化合物５：メチル化β-シクロデキストリン（塩水港精糖（株）製、商品名メチル-β-シクロデキストリン）
シクロデキストリン系化合物６：マルトシルシクロデキストリン（塩水港精糖（株）製、商品名イソエリートP）
【００３６】
水溶性樹脂として下記のものを用意した。
水溶性樹脂１：ＰＶＡ（ポリビニルアルコール）（（株）クラレ製、商品名PVA-203）
水溶性樹脂２：ＣＭＣ（カルボキシメチルセルロース）（第一工業製薬（株）製、商品名セロゲン７Ａ）
【００３７】
水溶性有機溶剤として、プロピレングリコールを用意した。
また、防腐剤として下記のものを用意した。
防腐剤１：商品名サンアイバックSA（ニトロ臭素系化合物、三愛石油（株）製）
防腐剤２：商品名コートサイドH（日本エンバイロケミカルズ（株）製）
さらに、ｐＨ調整剤として、脂肪族アミンであるトリエタノールアミンを用意した。
【００３８】
これらの成分を、表１に示す割合で含む組成物が得られるように、各成分を水に投入し、撹拌混合して墨汁様組成物を調製した（実施例１〜６）。各成分は、水溶性樹脂および水溶性有機溶剤→脂肪族アミン→シクロデキストリン系化合物→酸性染料→防腐剤の順に投入した。水溶性樹脂および水溶性有機溶剤を投入後、混合物を加熱して６０℃とし、撹拌を約３０分続けて、水溶性樹脂を溶解させた。他の成分は、混合物を室温（約２５℃）まで冷ました後に投入し、溶解および／または分散させた。さらに、対比のために、シクロデキストリン系化合物を含まない組成物（比較例１および２）を調製した。
【００３９】
得られた各組成物の退色性を、次の手順で評価した。
ＪＩＳ  Ｌ０８０３−２００５の染色堅牢度試験用添付白布（交織第１号）を用意し、ウール（羊毛）の部分に塗布した組成物の退色性を評価した。白布は、幅１０ｃｍ、長さ１２ｃｍの寸法を有するように、カットした。次に、カットした白布の表面に、筆で墨汁様組成物を塗布した。塗布後、３時間乾燥させた。
【００４０】
続いて、水に合成洗剤（商品名：アタック、花王（株）製）を水１リットルにつき４ｇ、および漂白剤（商品名ワイドハイター（粉末）、花王（株）製）を水１リットルにつき５ｇ溶かした溶液を調製した。この洗剤溶液に、墨汁様組成物を塗布した白布を入れ、約２時間、浸漬させた。その後、墨汁様組成物を塗布した白布を取り出し、前記合成洗剤を用いて、洗濯機で１５分間洗濯し、１５分間かけて濯いだ。濯ぎ終了後の白布は、自然乾燥させた。
【００４１】
これとは別に、前記墨汁様組成物を塗布しない評価用の白布（ブランク）を前記のサイズにカットしたものを用意した。評価用の白布は、筆で着色しなかったことを除いては、前記サンプルと同様に、浸漬、洗濯および乾燥に付した。
【００４２】
洗濯および乾燥終了後の、墨汁様組成物を塗布した白布とブランク白布との間の色差（ΔＥ＊）を、旧ミノルタ株式会社製の色彩色差計ＣＲ−３００を用いて求めることにより評価した。色差は、下記の式で表わされる。式中、Ｌ＊は明度指数、ａ＊およびｂ＊はクロマティクネス指数を示す。詳細は、同装置の取扱説明書（特に第77頁）に記載されている。ΔＥ＊が大きいほど、退色性（即ち、洗濯による、染料の落としやすさ）が高いといえる。
【００４３】
【数１】
2009263562.tif 000002
【００４４】
表１に、各実施例および比較例にて使用した墨汁様組成物の退色性を、その組成とともに示す。
【００４５】
【表１】
2009263562.tif 000003
【００４６】
表１に示すように、本発明の実施例１〜３と比較例１を比較すると、実施例１〜３で用いた墨汁様組成物は、ウールの織物に付着した場合でも、洗濯により、相当消去されることが分かる。同様のことは、実施例４〜６（水溶性有機溶剤を含む形態）と比較例２とを比較することによっても分かる。即ち、本発明によれば、シクロデキストリン系化合物の含有によって、洗濯による退色性の高い墨汁様組成物が得られた。
【００４７】
表１には示していないが、実施例１〜６ならびに比較例１および２の組成物を、他の繊維（具体的には、ナイロン、アセテート、レーヨン、アクリル、絹、またはポリエステル）から成る織物に付着させて、同様の試験を実施した。その結果、実施例の組成物は、比較例と同等またはそれ以上の退色性を、少なくとも１つの繊維について示した。よって、本発明の墨汁様組成物は、ウールを含む繊維製品だけでなく、他の繊維を含む繊維製品に付着した場合でも、洗濯により、その色が消える又は目立たなくすることを可能にする。
【００４８】
（試験２：実施例７および８、比較例３）
酸性染料として、上記の酸性染料に加えて、下記のものを用意した。
染料７：Water Led 1（C.I.Acid Red 18）（オリヱント化学工業（株）製）
【００４９】
水溶性樹脂として、下記のものを用意した。
水溶性樹脂３：キサンタンガム（三晶（株）、商品名ケルザン）
【００５０】
試験２で用いたその他の成分は、試験１で用いたものと同じであるから、その説明を省略する。
【００５１】
これらの成分を、表２に示す割合で含む組成物が得られるように、各成分を水に投入し、撹拌混合して墨汁様組成物を調製した（実施例７および８）。各成分は、水溶性樹脂および水溶性有機溶剤→シクロデキストリン系化合物→酸性染料→防腐剤の順に投入した。水溶性樹脂および水溶性有機溶剤を投入後、混合物を加熱して６０℃とし、撹拌を約３０分続けて、水溶性樹脂を溶解させた。他の成分は、混合物を室温（約２５℃）まで冷ました後に投入し、溶解および／または分散させた。さらに、対比のために、シクロデキストリン系化合物を含まない組成物（比較例３）を調製した。
【００５２】
【表２】
2009263562.tif 000004
【００５３】
実施例７および８は、比較例３と比較して、退色性の高い墨汁様組成物であった。また、シクロデキストリン系化合物の含有量が５重量％である実施例８は、シクロデキストリン系化合物の含有量が２重量％である実施例７よりも、優れた退色性を示した。このことから、シクロデキストリン系化合物の含有量は、約３重量％以上であることが好ましいと考えられる。
【産業上の利用可能性】
【００５４】
本発明の墨汁様組成物は、特にウールを含む繊維製品に付着した場合でも、洗濯により良好な退色性を示すので、学校および書道教室にて使用するのに適している。あるいは、本発明の墨汁様組成物は、自宅またはアトリエで書画を作成するときの練習用又は下書き用の墨色の液体として使用するのに適している。